(57)【要約】【課題】固定読み後に直ちに節電モードに移行する操作が行われたとしても、ユーザに原稿取り忘れを報知することが可能な画像読取装置、及びこれを備えた画像形成装置を提供する。【解決手段】画像読取部１００は、ＡＤＦ１０と、プラテンガラス上の原稿Ｄから画像を読み取るＣＣＤラインセンサ５８と、取り忘れ原稿の有無を検知するＡＤＦ開閉センサ６１と、取り忘れ原稿がある旨を警告する警告手段（メッセージ表示部及びスピーカ）と、節電モードを実行可能な節電モード実行手段（節電モード切換えボタン及びＣＰＵ）とを有する。さらに画像読取部１００は、原稿画像の読み取り終了後、ＡＤＦ開閉センサ６１が取り忘れ原稿を検知している際、節電モードを実行する旨の信号が発信された場合には、警告手段から警告を発した後に節電モード実行手段による節電モードに移行させる制御手段（ＣＰＵ）を有する。【選択図】図１
2017118255.tif 000002
【特許請求の範囲】
【請求項１】
原稿が載置される原稿載置手段と、
前記原稿載置手段に対して開閉可能に支持され、前記原稿載置手段に載置された原稿を押圧可能な開閉手段と、
前記開閉手段を閉じた状態で前記原稿載置手段上の原稿から画像を読み取る画像読取手段と、
前記原稿載置手段上の取り忘れ原稿の有無を検知する取り忘れ原稿検知手段と、
前記取り忘れ原稿検知手段の検知による取り忘れ原稿がある旨を警告する警告手段と、
制御を司る部位以外への電力供給を停止する節電モードを実行可能な節電モード実行手段と、
前記画像読取手段による原稿画像の読み取り終了後、前記取り忘れ原稿検知手段が取り忘れ原稿を検知している際、前記節電モード実行手段から前記節電モードを実行する旨の信号が発信された場合には、前記警告手段から警告を発した後に前記節電モード実行手段による前記節電モードに移行させる制御手段と、を備える、
ことを特徴とする画像読取装置。
【請求項２】
前記制御手段は、前記画像読取手段による原稿画像の読み取り終了後、前記取り忘れ原稿検知手段が取り忘れ原稿を検知している際、前記節電モード実行手段から前記節電モードを実行する旨の信号が発信されない場合には、所定時間待機し、この所定時間の間に前記取り忘れ原稿検知手段の検知による取り忘れ原稿がなくなったときは前記警告手段からの警告を発信しない、
ことを特徴とする請求項１に記載の画像読取装置。
【請求項３】
前記制御手段は、前記画像読取手段による原稿画像の読み取り終了後、前記取り忘れ原稿検知手段が取り忘れ原稿を検知している際、前記節電モード実行手段から前記節電モードを実行する旨の信号が発信されない場合には、所定時間待機し、この所定時間の間に前記取り忘れ原稿検知手段の検知による取り忘れ原稿がなくならないときは前記警告手段からの警告を発信する、
ことを特徴とする請求項１に記載の画像読取装置。
【請求項４】
前記制御手段は、前記画像読取手段による原稿画像の読み取り終了後、前記取り忘れ原稿検知手段が取り忘れ原稿を検知している際、前記節電モード実行手段から前記節電モードを実行する旨の信号が発信された場合には、所定時間待機することなく、前記警告手段からの警告を発信する
ことを特徴とする請求項１に記載の画像読取装置。
【請求項５】
前記制御手段は、前記節電モード実行手段による前記節電モードを実行した後、再び通常モードに復帰した際に、記憶部に記憶していた前記原稿載置手段上の取り忘れ原稿の有無を読み出す、
ことを特徴とする請求項１乃至４のいずれか１項に記載の画像読取装置。
【請求項６】
前記取り忘れ原稿検知手段は、前記画像読取手段による原稿画像の読み取り終了後に前記開閉手段が前記原稿載置手段から開放されたか否かを検知することに基づいて取り忘れ原稿の有無を検知する、
ことを特徴とする請求項１乃至５のいずれか１項に記載の画像読取装置。
【請求項７】
前記警告手段は、前記原稿載置手段上に取り忘れ原稿がある旨を警告音で知らせる警告音発生部を有する、
ことを特徴とする請求項１乃至６のいずれか１項に記載の画像読取装置。
【請求項８】
メッセージの表示が可能な表示部を備え、
前記警告手段は、前記原稿載置手段上に取り忘れ原稿がある旨のメッセージを前記表示部に表示する、
ことを特徴とする請求項１乃至７のいずれか１項に記載の画像読取装置。
【請求項９】
請求項１乃至８のいずれか１項に記載の画像読取装置と、
前記画像読取装置によって原稿から読み取られた画像情報に基づいてシートに画像を形成する画像形成手段と、を備える、
ことを特徴とする画像形成装置。
【発明の詳細な説明】
【技術分野】
【０００１】
本発明は、原稿等のシートから画像情報を読み取る画像読取装置、及びこれを備える画像形成装置に関する。
【背景技術】
【０００２】
一般に、複写機等の画像形成装置では、搭載されている画像読取装置の読み取り方式として、１枚の原稿をプラテンガラス上に載せて圧板（開閉手段）で押さえた状態で読み取る方式（以下「固定読み方式」という）が知られている。また、複数の原稿束を原稿トレイに載せ、自動原稿送り装置（ＡＤＦ：Auto  Document  Feeder）によって原稿搬送を行いながら読み取る方式（以下「流し読み方式」という）も知られている。
【０００３】
固定読み方式では、原稿の平坦性を確保した状態で読み取るため、プラテンガラスに対して開閉する圧板によりプラテンガラス上の原稿を上方から押えた状態で読み取りを行う。この場合、原稿が圧板で隠れて見えなくなるため、ユーザ（操作者）は、装置の使用後にプラテンガラス上に原稿を載置したまま取り忘れて（置いたまま忘れて）しまうことがある。
【０００４】
この問題に対し、圧板の開閉動作をセンサで監視し、固定読みの終了後、圧板が開閉されることなく原稿がプラテンガラス上に載置されたままであるとき、ＡＤＦに原稿がセットされると、取り忘れ原稿がある旨を警告する構成の画像形成装置が提案されている。この画像形成装置では、プラテンガラス上に残された取り忘れ原稿の有無を圧板の開閉に基づいて判断し、その旨の警告表示を操作部の表示部に表示することで、取り忘れ原稿の存在をユーザに明確に伝達することが可能になっている（特許文献１参照）。
【先行技術文献】
【特許文献】
【０００５】
【特許文献１】特開平６−１０２７３３号公報
【発明の概要】
【発明が解決しようとする課題】
【０００６】
しかしながら、特許文献１記載のように圧板の開閉に基づいて原稿の有無を判断する技術によると、節電モード（スリープモード）を有する画像形成装置の場合に、以下のような問題を生じるおそれがある。即ち、固定読み方式による読み取りの後、圧板が開閉されない状態のままで装置が節電モードに移行してしまうと、原稿取り忘れの警告表示がなされないまま電源が落ちてしまい、プラテンガラス上に原稿が置かれたままになる可能性がある。
【０００７】
そこで、本発明は、固定読み後に直ちに節電モードに移行する操作が行われたとしても、ユーザに原稿取り忘れを警告することが可能な画像読取装置、及びこれを備えた画像形成装置を提供することを目的としている。
【課題を解決するための手段】
【０００８】
本発明は、画像読取装置において、原稿が載置される原稿載置手段と、前記原稿載置手段に対して開閉可能に支持され、前記原稿載置手段に載置された原稿を押圧可能な開閉手段と、前記開閉手段を閉じた状態で前記原稿載置手段上の原稿から画像を読み取る画像読取手段と、前記原稿載置手段上の取り忘れ原稿の有無を検知する取り忘れ原稿検知手段と、前記取り忘れ原稿検知手段の検知による取り忘れ原稿がある旨を警告する警告手段と、制御を司る部位以外への電力供給を停止する節電モードを実行可能な節電モード実行手段と、前記画像読取手段による原稿画像の読み取り終了後、前記取り忘れ原稿検知手段が取り忘れ原稿を検知している際、前記節電モード実行手段から前記節電モードを実行する旨の信号が発信された場合には、前記警告手段から警告を発した後に前記節電モード実行手段による前記節電モードに移行させる制御手段と、を備えることを特徴とする。
【発明の効果】
【０００９】
本発明によると、固定読み後に直ちに節電モードに移行する操作が行われたとしても、ユーザに原稿取り忘れを警告することが可能になる。
【図面の簡単な説明】
【００１０】
【図１】（ａ）は本発明の第１の実施形態に係る画像形成装置を示す外観図、（ｂ）は（ａ）に示す画像形成装置に備えられている画像読取部を模式的に示す断面図。
【図２】第１の実施形態に係る画像読取部等の制御系を示す制御ブロック図。
【図３】第１の実施形態に係る原稿取り忘れ検知の画像読取部側の処理を示すフローチャート。
【図４】第１の実施形態に係る節電モード移行時の取り忘れ検知の処理を示すフローチャート。
【図５】第１の実施形態に係る画像読取部における節電モード移行処理を示すフローチャート。
【図６】第１の実施形態に係るコントローラ部における節電モード移行処理を示すフローチャート。
【図７】第１の実施形態に係る設定操作部の表示画面を示す模式図。
【図８】第１の実施形態に係るコントローラ部における制御を示すフローチャート。
【図９】本発明の第２の実施形態に係る節電モード移行時の制御を示すフローチャート。
【発明を実施するための形態】
【００１１】
＜第１の実施形態＞
以下、本発明の第１の実施形態に係る画像読取部（画像読取装置）１００を備えた画像形成装置２０について図面に沿って説明する。なお、図１（ａ）は、本実施形態に係る画像形成装置２０を示す外観図であり、図１（ｂ）は、図１（ａ）に備えられている画像読取部１００を模式的に示す断面図である。
【００１２】
［画像形成装置］
図１（ａ），（ｂ）に示すように、本画像形成装置２０は、画像読取部１００と、プリンタ部（画像形成部）５００と、所定の後処理を行うシート処理部（シート処理装置）５１０とを備えている。画像読取部１００には、排出トレイ２５を有するＡＤＦ（自動原稿送り装置）１０と、一端部に表示部６４を有する設定操作部２１０が配置されたリーダ部５０を有している。排出トレイ２５はその下部に、弾性を有する押え板部材２６を有している。
【００１３】
プリンタ部５００は、画像の電気信号や画像データに基づいてシートに画像を形成する。また、プリンタ部５００とリーダ部５０との間の排出空間Ｓｐには排出トレイ２１が設けられており、プリンタ部５００の下部には、複数段（本実施形態では３段）の給紙カセット１９が装着及び引き出し可能に配置されている。また、シート処理部５１０には、プリンタ部５００で画像形成された後、所定の処理を施されて排出されるシートを積載する複数段（本実施形態では３段）の排出トレイ２２が配置されている。なお、プリンタ部５００は、画像読取部（画像読取装置）１００によって原稿から読み取られた画像情報に基づいてシートに画像を形成する画像形成手段を構成する。
【００１４】
上記画像形成装置２０では、プリンタ部５００に内蔵された感光体ドラム（不図示）の表面にレーザスキャナ（不図示）で静電潜像が形成された後、現像器（不図示）からトナーを供給されることで、負極性に帯電した複数色（４色）のトナー像が形成される。これらのトナー像は、１次転写ローラ（不図示）に正極性の転写バイアス電圧が印加されることで、各１次転写部（不図示）において順次中間転写ベルト（不図示）へと多重転写（１次転写）されて、中間転写ベルトにフルカラーのトナー像が形成される。
【００１５】
このようなトナー像の形成プロセスに並行して、プリンタ部５００に内蔵されたシート給送部（不図示）から給送されたシートは、レジストレーションローラ対（不図示）へと搬送され、レジストレーションローラ対によって斜行補正される。レジストレーションローラ対は、中間転写ベルトに形成されたフルカラーのトナー像の転写タイミングに合わせたタイミングで、シートを２次転写部に搬送する。中間転写ベルトに担持されたトナー像は、２次転写ローラ（不図示）に正極性の転写バイアス電圧が印加されることで、２次転写部（不図示）でシートへと２次転写される。トナー像を転写されたシートは、定着部（不図示）において加熱及び加圧され、カラー画像をシートに定着させられる。画像が定着されたシートは、排出ローラ対（不図示）によって排出トレイ２１へと排出されて積載される。
【００１６】
ここで、表示部６４を有する設定操作部２１０について、図７を参照して詳細に説明する。なお、図７は、設定操作部２１０（図１、図２参照）に表示される画面のイメージを示し、
【００１７】
図７に示すように、設定操作部２１０は、各種の情報を表示する表示部６４を中央部に有している。さらに、設定操作部２１０は、表示部６４の右側部に、節電モード切換えボタン６５と、スピーカ６７と、スタートボタン６６とを有している。節電モード切換えボタン６５は、通常モードから節電モード（スリープモード）に切換えるために押圧操作される。警告音発生部としてのスピーカ６７は、プラテンガラス５２上に取り忘れ原稿がある旨を警告音で知らせることが可能である。スタートボタン６６は、原稿トレイ３１上に原稿Ｄを載置して行う流し読み、或いはプラテンガラス５２上に原稿Ｄを載置して行う固定読みによる画像形成（印刷）を行う際に押圧操作される。
【００１８】
表示部６４は、下部に「プラテンガラス上に原稿があります」等のメッセージを表示するメッセージ表示部６４ａを有する。そして、上部に、スタートボタン６６の操作による印刷が可能な状態を示す「コピーできます」等のメッセージを表示するメッセージ表示部６４ｂを有する。なお、プラテンガラス５２は、原稿が載置される原稿載置手段を構成する。また、ＡＤＦ１０は、プラテンガラス５２に対して開閉可能に支持され、プラテンガラス５２に載置された原稿を押圧可能な開閉手段を構成する。
【００１９】
［画像読取部］
図１（ｂ）に示すように、ＡＤＦ１０は、装置本体２０ａの上部にて、プラテンガラス５２に対し開閉可能になるように、ヒンジ装置（不図示）を介して開閉可能に支持され、プラテンガラス５２に載置された原稿Ｄを押圧することが可能に構成されている。ＡＤＦ１０は、１枚以上の原稿Ｄで構成される原稿束（Ｄ）を積載する原稿トレイ３１と、原稿束の最上面の原稿を機内に送り込む給送ローラ３２とを有している。
【００２０】
装置本体２０ａの上側に配置されたリーダ部５０は、シート状の原稿Ｄの画像を読み取って画像を電気信号に変換し、この電気信号に基づいて画像データを形成する。リーダ部５０は、ＬＥＤ５３から照射された光に対して原稿Ｄから反射した反射光を、ミラー５４，５５，５６及びレンズ５７を介してＣＣＤラインセンサ５８に導くように構成されている。ＬＥＤ５３及びミラー５４は読取ユニット５９に取り付けられ、ミラー５５，５６は読取ユニット６０に取り付けられている。
【００２１】
読取ユニット５９，６０は、ワイヤ（不図示）によってモータ（不図示）と結合され、このモータの回転駆動により原稿台であるプラテンガラス５２と平行に移動するように制御される。読取ユニット５９，６０は、ポジションセンサ（不図示）で検知される位置を基準としてモータが正転又は逆転させられることで移動し、プラテンガラス５２上に載置された原稿Ｄを光学的に走査する。原稿Ｄからの反射光は、ミラー５４，５５，５６を介してレンズ５７に導かれ、レンズ５７を介してＣＣＤラインセンサ５８に集光される。ＣＣＤラインセンサ５８は、原稿情報を反映した上記の原稿Ｄからの反射光を光電変換して、電子的な画像信号として出力する。なお、ＣＣＤラインセンサ５８は、ＡＤＦ（開閉手段）１０を閉じた状態でプラテンガラス上（原稿載置手段上）の原稿から画像を読み取る画像読取手段を構成する。
【００２２】
リーダ部５０は、以上の構成において、ＣＰＵ２０１（図２参照）の制御で、流し読みモード及び固定読みモードにより原稿情報を読み取ることが可能に構成されている。リーダ部５０の上部においてプラテンガラス５２に隣接する位置には、基準白板６３及び流し読みガラス５１が設置されている。リーダ部５０の内部には、読取ユニット５９の位置合わせに用いられるキャリッジＨＰ（ホームポジション）センサ６２が設置されている。なお、ＣＰＵ２０１は、後述する節電モード切換えボタン６５とにより、制御を司る部位以外への電力供給を停止する節電モードを実行可能な節電モード実行手段を構成する。
【００２３】
また、リーダ部５０におけるプラテンガラス５２の図中の最も右端部には、ＡＤＦ（開閉手段）１０の開閉状態を検知するＡＤＦ開閉センサ６１が配置されている。ＡＤＦ１０は、図１（ｂ）における手前−奥方向の奥側において不図示のヒンジ装置により、同図の手前側から奥側に開くように装置本体２０ａに回動可能に支持されている。ＡＤＦ開閉センサ６１は、近接センサなどから構成することが可能であり、ＡＤＦ１０の開放角度が所定値（例えば２５°）以上開いたことを検知可能に構成されている。なお、ＡＤＦ開閉センサ６１は、ＣＣＤラインセンサ（画像読取手段）５８による原稿画像の読み取り終了後にプラテンガラス５２上の取り忘れ原稿の有無を検知する取り忘れ原稿検知手段を構成する。
【００２４】
流し読みモードでは、読取ユニット５９を原稿読取位置（図１（ｂ）に示す位置）に停止させた状態で、閉じ状態のＡＤＦ１０によって原稿Ｄを搬送させながら、流し読みガラス５１上の原稿読取位置で原稿情報を読み取る。一方、固定読みモードでは、プラテンガラス５２上に原稿Ｄを固定的に載置して、読取ユニット５９を副走査方向（図１（ｂ）の左右方向）に移動させながら原稿情報を読み取る。
【００２５】
次に、ＡＤＦ１０の詳細な構成について図１（ａ），（ｂ）を参照して説明する。即ち、図１（ｂ）に示すように、ＡＤＦ１０における原稿トレイ３１には、原稿Ｄの給送方向（矢印Ｂの方向）と直交する幅方向（図１（ｂ）の手前−奥方向）に相対移動可能に配置された一対の幅方向規制板２８（手前側は不図示）が配置されている。原稿トレイ３１の下方には、原稿トレイ上から給送ローラ３２により給送される原稿Ｄを検知する原稿検知センサ２７が配置されている。原稿トレイ３１に積載された原稿Ｄは、一対の幅方向規制板２８によって幅方向を規制されることで、給送時の搬送安定性が確保される。
【００２６】
ＡＤＦ１０は、原稿Ｄをリーダ部５０に自動で送る自動原稿送り手段としての自動原稿送り部２９を有している。原稿トレイ３１における原稿給送方向（矢印Ｂ方向）の下流側の上部には、原稿束の最上位の原稿Ｄを機内に送り込むように給送する給送ローラ３２が配置されている。給送ローラ３２は、下流側に配置された搬送ローラ３４と分離ローラ３５から構成される分離搬送ローラ対４８の回転駆動に連動して回転し、原稿Ｄを原稿トレイ３１上から送り出す。分離搬送ローラ対４８は、給送ローラ３２で送り出される原稿Ｄを一枚毎に捌きながら下流に搬送する。
【００２７】
図１（ｂ）に示すように、給送ローラ３２は通常、ホームポジションである上方位置（同図中の破線位置）に待避されて、原稿セット作業を損なわないように構成されている。給送ローラ３２は、給送動作が開始されると、図中の実線位置に下降して原稿Ｄの上面に当接する。給送ローラ３２は、給送ホルダ３０により分離搬送ローラ対４８の搬送ローラ３４の軸を中心に回動可能に支持されており、給送ホルダ３０が揺動されることにより上下に移動させられる。
【００２８】
分離搬送ローラ対４８のシート給送方向の下流には、引抜きローラ対３６、搬送ローラ対１３、及びレジストレーションローラ対１５が配置されている。さらに、レジストレーションローラ対１５の下流には、プラテン上流ローラ対１６、流し読みガラス５１の上方に位置するプラテンローラ１７、プラテン下流ローラ対１８、搬送ローラ対３３、及び排出ローラ対２４がこの順に配置されている。上記分離搬送ローラ対４８と引抜きローラ対３６との間には、分離搬送ローラ対４８で分離されて搬送される原稿Ｄを検知する分離後センサ１１が配置されている。
【００２９】
［制御系］
次に、本実施形態に係る画像読取部１００等の制御系について説明する。なお、図２は、本実施形態に係る画像読取部１００等の制御系を示す制御ブロック図である。
【００３０】
図２に示すように、画像形成装置２０は、画像読取部１００、コントローラ部２００、プリンタ部５００、及びシート処理部（シート処理装置）５１０を有している。画像読取部１００には、中央演算処理装置であるＣＰＵ（制御手段）１２が設けられており、ＣＰＵ１２には、リードオンリーメモリ（ＲＯＭ）８０と、ランダムアクセスメモリ（ＲＡＭ）９０とが接続されている。ＲＯＭ８０には制御用プログラムが格納され、ＲＡＭ９０には入力データや作業用データが格納されている。ＣＰＵ１２には、原稿検知センサ２７、分離後センサ１１、レジ前センサ１４、及びシート排出センサ２３が接続されている。
【００３１】
制御手段としてのＣＰＵ１２は、ＣＣＤラインセンサ５８による原稿画像の読み取り終了後に、節電モード実行手段である節電モード切換えボタン６５及びＣＰＵ２０１から節電モードを実行する旨の信号が発信された場合、以下のような制御を行う。即ち、ＡＤＦ開閉センサ６１が取り忘れ原稿を検知しているときには、警告手段としてのメッセージ表示部６４ａ及びスピーカ６７による警告を発してから節電モード切換えボタン６５及びＣＰＵ２０１（節電モード実行手段）による節電モードを実行させる。
【００３２】
また、画像読取部１００は、ＬＥＤ５３（図１（ｂ））を移動させる搬送モータ３７と、搬送用の対応するローラを駆動する搬送モータ３８，３９と、読取ユニット５９（図１（ｂ））を駆動させる光学モータ４０とを有している。さらに、画像読取部１００は画像処理部７０を有し、この画像処理部７０には、ＡＤＦ開閉センサ６１と、読取ユニット５９の位置出しのためのキャリッジＨＰ（ホームポジション）センサ６２と、ＣＣＤラインセンサ５８とが接続されている。ＣＣＤラインセンサ５８（図１（ｂ））は、読み取った画像データを、画像処理部７０を介してコントローラ部２００に転送する。
【００３３】
コントローラ部２００は、ＣＰＵ２０１、設定操作部２１０、カードリーダ３００、画像処理部２０２、及び画像メモリ２０３を有している。ＣＰＵ２０１は、プリンタ部５００のＣＰＵ５０１に接続され、かつ設定操作部２１０、スピーカ６７及びカードリーダ３００にそれぞれ接続されている。ＣＰＵ２０１は画像処理部２０２に接続され、画像処理部２０２は画像メモリ２０３に接続されている。プリンタ部５００のＣＰＵ５０１は、シート処理部５１０に備えられたＣＰＵ５１１に接続されている。メッセージ表示部６４ａ及びスピーカ６７は、プラテンガラス５２上（原稿載置手段上）に取り忘れ原稿がある旨を警告する警告手段を構成する。なお、この警告手段は、メッセージ表示部６４ａとスピーカ６７のうちの何れか一方のみでも構成できることは勿論である。
【００３４】
ＣＰＵ２０１は、ユーザとのインターフェース制御を設定操作部２１０を介して実行可能であり、画像読取部１００のＣＰＵ１２との間の通信ラインを介して、画像読取制御に関するデータの授受を行う。画像処理部７０と画像処理部２０２との間の画像ラインを介して画像データの授受が行われ、画像処理部２０２は、画像読取部１００から受信した画像データを画像メモリ２０３に格納する。
【００３５】
［画像読取部の動作］
次に、本実施形態に係る固定読みモードによる固定読み時、及び流し読みモードによる流し読み時における画像読取部１００の動作について、図１（ｂ）及び図２を参照しながら説明する。
【００３６】
まず、固定読みを行う場合、ユーザはスキャン開始前にＡＤＦ１０をリーダ部５０から開く方向に回動支点を中心に回動させて、プラテンガラス５２の所定の位置（本実施形態では図１（ｂ）の左奥側突当て基準）に原稿Ｄを載置する。この状態で、ＡＤＦ１０をリーダ部５０に対して回動させて閉じて原稿Ｄを押圧する。
【００３７】
固定読みが開始されると、ＣＰＵ（制御手段）１２が光学モータ４０を駆動することで、読取ユニット５９が、プラテンガラス５２の下方から原稿Ｄを副走査方向（図１（ｂ）における右方向）に走査する。リーダ部５０では、プラテンガラス５２に載置された原稿Ｄの下面がＬＥＤ５３で照射されると、これによる反射光がミラー５４，５５，５６で反射され、レンズ５７を経由してＣＣＤラインセンサ５８で読み取られる。そして、固定読みが終了すると、ユーザはＡＤＦ１０をリーダ部５０から開放させて、プラテンガラス５２上に載置されている原稿Ｄを取り除いた後、ＡＤＦ１０をリーダ部５０に対して閉める操作を行う。
【００３８】
原稿Ｄの搬送開始前に、搬送モータ３７（図２参照）を駆動することで分離搬送ローラ対４８の搬送ローラ３４を図１（ｂ）の時計回り方向にやや回転させ、給送ホルダ３０を介して給送ローラ３２を下降させ、原稿トレイ３１上の原稿Ｄに当接させる。
【００３９】
そして、原稿Ｄの給送動作が開始されると、図１（ｂ）の時計回り方向に回転する給送ローラ３２によって給送された原稿Ｄは、分離搬送ローラ対４８により１枚ずつに分離される。分離されて送り出された原稿Ｄは、分離後センサ１１で検知されつつ搬送され、引抜きローラ対３６及び搬送ローラ対１３により更に搬送される。
【００４０】
そしてこの原稿Ｄは、レジ前センサ１４を経由して、静止したレジストレーションローラ対１５のニップ部に先端を突き当てられてループを形成されることで、先端をニップ部に倣うように揃えられて斜行補正を施される。斜行補正された原稿Ｄは、プラテン上流ローラ対１６により、リーダ部５０における流し読みガラス５１に向けて搬送される。さらに原稿Ｄは、プラテンローラ１７を経由してプラテン下流ローラ対１８により下流に搬送される。
【００４１】
プラテンローラ１７は、流し読みガラス５１に接触しており、プラテンローラ１７と流し読みガラス５１との間を通過する原稿Ｄの表面がＬＥＤ５３によって照射される。この反射光が、ミラー５４，５５，５６及びレンズ５７を経由してＣＣＤラインセンサ５８により検知されることで、原稿Ｄの画像情報が読み取られる。そして、読取ユニット５９により画像読取を施された原稿Ｄは、搬送ローラ対３３を介してシート排出センサ２３を経由し、排出ローラ対２４を介して排出トレイ２５に排出される。なお、固定読み動作及び流し読み動作の前には、基準白板６３をＣＣＤラインセンサ５８で読み取り、シェーディングによる画像補正データを生成することで、主走査方向に均一な濃度の画像が得られる。
【００４２】
［原稿取り忘れ防止制御］
次に、本実施形態における原稿取り忘れ防止制御の処理について、図３を参照して説明する。なお、図３は、固定読みジョブが投入された場合の画像読取部１００での原稿取り忘れ防止制御の流れを示すフローチャートである。
【００４３】
画像読取部１００におけるＲＡＭ９０上に、制御情報として以下の変数（Ａ），（Ｂ）を有する。
（Ａ）取り忘れの検知イネーブル（ＥＮ）が“１”にセットされている間は「有効」にして、プラテンガラス５２上の原稿取り忘れの検知処理を行う。検知イネーブル（ＥＮ）が“０”のときは「無効」にして、取り忘れの検知処理を行わない。
（Ｂ）取り忘れステータス（ＳＴ）が“０”のときは、取り忘れ原稿が存在しないことを示す。
取り忘れ原稿を検知したときは“１”にセットし、原稿が取り除かれたと判断すると“０”にクリアする。
【００４４】
ＡＤＦ原稿取り忘れ検知（通常時）のラベルで始まる処理が開始されると、ＣＰＵ１２は、ステップＳ３０１において固定読みジョブの開始要求が投入されたか否かを判断する。その結果、コントローラ部２００から固定読みジョブの開始要求が投入されると（Ｓ３０１：Ｙｅｓ）、ＣＰＵ１２は、ステップＳ３０２において、制御情報として保持している変数を初期化する。即ち、取り忘れステータス（ＳＴ）を“０”の原稿無し状態に初期化し、取り忘れの検知イネーブル（ＥＮ）を“１”にセットし「有効」にして、取り忘れ検知を可能にする（Ｓ３０２）。
【００４５】
固定読みジョブの開始時から終了時までの間、ＣＰＵ１２は、以下の制御を行う。即ち、ジョブ開始時もしくはジョブ中にＡＤＦ１０が開けられたか否かを監視する（Ｓ３０３）。その結果、ＡＤＦ１０が開放された場合は（Ｓ３０３：Ｙｅｓ）、原稿がいつ取り除かれるかわからないため、検知イネーブル（ＥＮ）を０（無効）にセットする（Ｓ３０４）。一旦「無効」にされた検知イネーブル（ＥＮ）は、その後、ジョブ中に再びＡＤＦ１０が閉じられても復帰しない。
【００４６】
上記一連の固定読みジョブ中の監視処理（Ｓ３００）は、固定読みジョブの終了まで、本実施形態においては５００ｍｓｅｃ周期で実行される（Ｓ３０１：Ｙｅｓ，Ｓ３０２，Ｓ３０３：Ｎｏ，Ｓ３０５：Ｎｏ，Ｓ３０６）。
【００４７】
固定読みジョブが終了すると（Ｓ３０５：Ｙｅｓ）、ＣＰＵ１２は、以下の制御を行う。まず、固定読みジョブ中または監視動作中に検知イネーブル（ＥＮ）が「無効」になったか否かを確認する（Ｓ３０７）。検知イネーブル（ＥＮ）がまだ１（有効）であった場合（Ｓ３０７：Ｙｅｓ）、固定読みジョブ後のＡＤＦ開の監視動作を実行し、固定読みジョブの終了後にＡＤＦ１０が開放されたか否かを監視する（Ｓ３０８）。その結果、ＡＤＦ１０が開けられた場合は（Ｓ３０８：Ｙｅｓ）、ユーザにより原稿が取り除かれたと判断して、取り忘れステータス（ＳＴ）を“０”にセットし、検知イネーブル（ＥＮ）を０（無効）にセットする（Ｓ３１２）。
【００４８】
また、ステップＳ３０８で、ＡＤＦ１０が開状態にならないまま次の固定読みジョブが投入された場合にも（Ｓ３０９：Ｙｅｓ）、ユーザが故意に同じ原稿を再び読み取るものと判断し、取り忘れステータス（ＳＴ）を“０”にセットする（Ｓ３１２）。また、何れにも該当しない場合、即ちＡＤＦ１０が開けられず、固定読みジョブも投入されないままの時は、ステップＳ３０５で固定読みジョブが終了してから３秒が経過するまでの間、５００ｍｓｅｃ周期で上記監視を実行する。（Ｓ３１０：Ｎｏ，Ｓ３１１，Ｓ３０７）
【００４９】
そして、ステップＳ３０８，Ｓ３０９の何れにも該当しないまま３秒が経過すると（Ｓ３０８：Ｎｏ，Ｓ３０９：Ｎｏ，Ｓ３１０：Ｙｅｓ）、ＣＰＵ１２は、ユーザが原稿を取り忘れたと判断し、取り忘れステータス（ＳＴ）を“１”にセットする（Ｓ３１３）。ＣＰＵ１２は、上記監視動作によってセットされた取り忘れステータス（ＳＴ）を、コントローラ部２００に通知する（Ｓ３１４）。
【００５０】
固定読みジョブ中もしくは上記ＡＤＦ開監視動作中に、取り忘れステータス（ＳＴ）が“０”、つまり原稿が取り除かれた状態にセットされた場合には（Ｓ３０４，Ｓ３１２）、監視動作のループから抜ける（Ｓ３０７：Ｎｏ）。そして、ＡＤＦ原稿取り忘れ検知（通常時）を終了する。
【００５１】
［節電モード要求時の通知］
次に、本実施形態におけるＡＤＦ原稿取り忘れ検知（固定読みジョブ後の節電モード移行時）の処理について、図４を参照して説明する。図４は、固定読みジョブ終了直後にユーザが節電モード切換えボタン６５を操作して節電モードへの移行を入力した場合の「ＡＤＦ原稿取り忘れ検知」の処理を示すフローチャートである。
【００５２】
以下に述べる節電モード（スリープモード）は、各種機器の制御を司るＣＰＵ１２などの機器以外への電力供給を停止する省エネルギーモードを意味する。図３を用いて既述した固定読みジョブ中の監視（Ｓ３００）の終了時、ＣＰＵ１２は、検知イネーブル（ＥＮ）が１（有効）になっているか否かの判定を行う（Ｓ４０１）。固定読みジョブ中にＡＤＦ１０の開操作が実行され、検知イネーブル（ＥＮ）が０（無効）になっている時は（Ｓ４０１：Ｎｏ）、その後の監視モードには入らず、取り忘れステータス（ＳＴ）を“０”にセットして（Ｓ４０３）ステップＳ４０７に進む。
【００５３】
一方、検知イネーブル（ＥＮ）が１（有効）になっている場合には（Ｓ４０１：Ｙｅｓ）、ＣＰＵ１２は、節電モード前取り忘れ監視動作に入る。そしてＣＰＵ１２は、ステップＳ４０２において、ＡＤＦ１０が開操作（開放操作）をされたか否かを監視する（Ｓ４０２）。ステップＳ４０２において、開操作されて開動作が実行された場合は（Ｓ４０２：Ｙｅｓ）、ステップＳ４０１：Ｎｏの場合と同様、ステップＳ４０３において、取り忘れステータス（ＳＴ）を“０”にセットし、検知イネーブル（ＥＮ）を０（無効）とする。一方、ステップＳ４０２において開操作が行われなかった場合には（Ｓ４０２：Ｎｏ）、ＣＰＵ１２は、ステップＳ４０４に進んで、コントローラ部２００から節電モード要求を受信したか否かを判断する。
【００５４】
ステップＳ４０４では、節電モード要求を受信していなければ（Ｓ４０４：Ｎｏ）、図３で説明した通常時の「ＡＤＦ原稿取り忘れ検知」の制御の場合と同様に、監視を３秒間継続する（Ｓ４０５）。上記ステップＳ４０２では、ＡＤＦ開閉センサ６１が、ＣＣＤラインセンサ５８による原稿画像の読み取り終了後にＡＤＦ１０がプラテンガラス５２から開放されたか否かを検知することに基づいて取り忘れ原稿の有無を検知する。このため、取り忘れ原稿の有無を確実に検知することが可能になる。
【００５５】
ＣＰＵ１２はＡＤＦ開閉センサ６１が取り忘れ原稿を検知しても（Ｓ４０２：Ｎｏ）、３秒間経過する前（警告出力前）に取り忘れ原稿がなくなった場合（Ｓ４０４、Ｓ４０５、Ｓ４０１、Ｓ４０２：Ｙｅｓ）、警告手段の警告を行わず節電モードに移行させる。これにより、警告出力の前にユーザが原稿を取り忘れたことに気がついて取り除いた場合には、警告を行わないようにすることができる。
【００５６】
一方、ステップＳ４０４で、節電モード要求を受信した場合（Ｓ４０４：Ｙｅｓ）、または３秒間の監視時間が終了してもＡＤＦ開操作がなかった場合（Ｓ４０５：Ｙｅｓ）、ＣＰＵ１２は、以下のように制御する。即ち、次の監視に移ることなく、取り忘れステータス（ＳＴ）を“１”、つまり「取り忘れ原稿有り状態」にセットする（Ｓ４０６）。
【００５７】
上記いずれかの条件で取り忘れ監視動作を終了すると、ＣＰＵ１２は、コントローラ部２００に対し、上記で設定した取り忘れステータス（ＳＴ）の結果を通知する（Ｓ４０７）。つまり、プラテンガラス５２上に取り忘れ原稿がある旨をスピーカ（警告音発生部）６７からの警告音で知らせると共に、取り忘れ原稿がある旨のメッセージを設定操作部２１０のメッセージ表示部（表示部）６４ａに表示する。これにより、固定読み後に直ちに節電モードに入る操作をされた場合であっても、ユーザに原稿取り忘れを警告（報知）することができる。
【００５８】
その後、後述する節電モード移行処理を実行し（Ｓ４０８）、コントローラ部２００に対し節電モードに入ることを通知して（Ｓ４０９）、処理を終了する。
【００５９】
次に、本実施形態における画像読取部１００の節電モード移行処理、及びコントローラ部２００の節電モード移行処理について図５及び図６を参照して説明する。なお、図５は、画像読取部１００の節電モード移行処理を示すフローチャート、図６は、コントローラ部２００が画像読取部１００に対して節電モード指示を出す場合の処理を示すフローチャートである。
【００６０】
図５において、画像読取部１００がコントローラ部２００から節電モード要求を受信すると（Ｓ８０１：Ｙｅｓ）、画像読取部１００のＣＰＵ１２は、通常ホールド電流で位置を保持している光学モータ４０の電流をオフとし、駆動を停止する（Ｓ８０２）。また、不図示のファンの回転監視を実行している場合には、ファンエラー検出防止のために回転監視を停止する（Ｓ８０３）。以上の装置側の準備が終了すると、画像読取部１００のＣＰＵ１２は、コントローラ部２００に対し、準備完了を示す節電モード移行通知を送信し、スリープ移行処理を終了する（Ｓ８０４）。
【００６１】
図６において、システムのタイマ設定やユーザの操作により、節電モードへの移行が指示されたとする。このとき、コントローラ部２００のＣＰＵ２０１は、画像読取部１００へ節電モード要求を送信する（Ｓ９０１）。画像読取部１００から節電モード移行通知が返信されるまでの間（Ｓ９０２：Ｎｏ）、コントローラ部２００は通常動作を継続し、後述の取り忘れ通知処理などの処理を実行する。
【００６２】
画像読取部１００から節電モード移行通知が返ってくると（Ｓ９０２：Ｙｅｓ）、コントローラ部２００のＣＰＵ２０１は、画像読取部１００に供給していた電源をオフにし、画像読取部１００を節電状態に移行させる（Ｓ９０３）。その後、既知の装置全体の節電モード移行処理Ｓ９０４を経由して装置全体を節電モードに移行させる。ここで、節電モードへの移行は、画像形成装置２０の全体が節電状態になるとは限らない。例えばプリントジョブが多用され、画像読取が使用されない場合には、画像読取部１００のみを節電モードに移行させ、画像形成装置２０の他の部分は通常状態のままという場合もある。
【００６３】
［節電モードから復帰時の取り忘れ通知］
上記において、取り忘れステータス（ＳＴ）を格納したＲＡＭ（記憶部）９０は、バックアップ可能であるとする。この場合、ＣＰＵ（制御手段）１２は、画像読取部１００が節電モードから通常モード復帰した際、節電モード移行前の取り忘れステータス（ＳＴ）を読み出し、コントローラ部２００に対し再度ステータス通知することが可能である。このように、ＣＰＵ１２は、節電モード実行手段（６５，２０１）による節電モードを実行した後、再び通常モードに復帰した際に、ＲＡＭ（記憶部）９０に記憶していたプラテンガラス５２上の取り忘れ原稿の有無を読み出すことが可能である。
【００６４】
ただし、節電モードからの復帰要因はいろいろあり、例えばＡＤＦ１０を開閉することにより復帰するケースがある。この時は、ＡＤＦ１０をリーダ部５０（装置本体２０ａ）から開放させたことで原稿の取り忘れに気付くと想定する必要がある。これに対応するため、ＣＰＵ１２は、画像読取部１００の節電モードからの復帰要因をモニタする。ＡＤＦ１０の開操作（開動作）によって復帰した場合には、取り忘れステータス（ＳＴ）を“０”、即ち原稿が取り去られた状態に更新することにより、復帰後にコントローラ部２００に誤った「取り忘れステータス通知」を送信しないようにする。
【００６５】
［コントローラ部における制御のフローチャート］
次に、本実施形態におけるＡＤＦ原稿取り忘れ表示制御の処理について、図７及び図８を参照して説明する。なお、図８は、コントローラ部２００におけるＡＤＦ原稿取り忘れ表示制御の処理を示すフローチャートである。
【００６６】
ＡＤＦ原稿取り忘れ表示のラベルで始まる制御に入ると、コントローラ部２００のＣＰＵ２０１は、画像読取部１００が節電モードであるか否かを判断する（Ｓ７００）。その結果、画像読取部１００が節電モードでなければ（Ｓ７００：Ｎｏ）、処理を終了し、また、画像読取部１００が節電モードであれば（Ｓ７００：Ｙｅｓ）、Ｓ７０１に進む。
【００６７】
ステップＳ７０１において、ＣＰＵ２０１は、スタートボタン６６が押されてユーザからの固定読みジョブが投入されたと判断する（Ｓ７０１：Ｙｅｓ）。そしてＣＰＵ２０１は、ステップＳ７０２において、コントローラ部２００内部に保持されている「取り忘れ表示情報」を“０”に初期化する。これと共に、原稿取り忘れをユーザに知らせる「取り忘れ表示」をクリアし、鳴動する警告音をクリアする。引き続き、ＣＰＵ２０１は、固定読みジョブが終了したか否かを判断し（Ｓ７０３）、固定読みジョブが終了したと判断すると（Ｓ７０３：Ｙｅｓ）、警告音を鳴らす時間を計測する「警告音タイマ」をスタートさせる（Ｓ７０４）。
【００６８】
一方、ステップＳ７０１において、固定読みジョブが投入されていない状態では（Ｓ７０１：Ｎｏ）、取り忘れ表示制御を実行する。即ち、画像読取部１００のＣＰＵ１２から通知される取り忘れステータス（ＳＴ）を取得し、内部で保持されている取り忘れ表示情報を更新する（Ｓ７０６）。
【００６９】
ステップＳ７０７において、画像読取部１００から「取り忘れ原稿無し」と通知され、取り忘れ表示情報＝０になった場合（Ｓ７０７：Ｎｏ）、ＣＰＵ２０１は、取り忘れ表示及び警告音をクリアし（Ｓ７０８）、警告音を停止する。一方、ステップＳ７０７において、取り忘れ原稿有りと通知され、取り忘れ表示情報＝１であると判断した場合（Ｓ７０７：Ｙｅｓ）、ＣＰＵ２０１は、以下の制御を行う。即ち、「！プラテンガラス（原稿台）上に原稿があります。！」というステータス表示をメッセージ表示部６４ａ（図７）に対し実行し、プラテンガラス５２上に原稿が残存している旨をユーザに報知する（Ｓ７０９）。
【００７０】
さらに、ＣＰＵ２０１は、ユーザにより警告音を鳴らす設定がなされている場合には（Ｓ７１０：Ｙｅｓ）、以下のように制御する。即ち、ＣＰＵ２０１は、ステップＳ７０４でスタートした「警告音タイマ」が所定のタイムアップ値（この例では２秒とする）に達するまでの間（Ｓ７１１：Ｎｏ）、取り忘れを通知する警告音を鳴動させる（Ｓ７１２）。一方、ステップＳ７１０にて、警告音を鳴らす設定になっていない場合（Ｓ７１０：Ｎｏ）、或いは警告音タイマが２秒以上経過した場合（Ｓ７１１：Ｙｅｓ）、ＣＰＵ２０１は、図７に示す「取り忘れ表示」はそのままで、警告音を停止させる（Ｓ７１４）。
【００７１】
上述したステップＳ７０６からＳ７１４までの「取り忘れ情報更新動作」は、画像読取部１００に対して節電モードを要求した後も変わらずに実行される。上記制御により、画像読取部１００が節電モードに入ったあと、最終の通知結果に基づいて「取り忘れ警告」を表示し、或いは「警告音を鳴動させる」ことが可能になる。
【００７２】
本実施形態によれば、ＣＰＵ１２はＣＣＤラインセンサ５８による原稿画像の読み取り終了後、ＡＤＦ開閉センサ６１が取り忘れ原稿を検知している際、節電モード実行手段（６５，２０１）から節電モードを実行する旨の信号が発信されると以下の制御を行う。即ち、（Ｓ４０４：Ｙｅｓ）に示すように、所定時間待機をスキップし、警告手段（６４ａ，６７）から警告を発した後に節電モード実行手段（６５，２０１）による節電モードに移行させる。これにより、固定読み後に直ちに節電モードに入る操作をされた場合であっても、ユーザに原稿取り忘れを報知できるようになる。従って、固定読み方式によるスキャン実行後、直ちに節電モードに移行した場合であっても、ユーザが原稿を取り忘れている旨を通知することができる。
【００７３】
また、ＣＰＵ１２はＣＣＤラインセンサ５８による原稿画像の読み取り終了後、ＡＤＦ開閉センサ６１が取り忘れ原稿を検知している際、節電モード実行手段（６５，２０１）から節電モードを実行する旨の信号が発信されない際、以下の制御を行う。即ちＣＰＵ１２は、所定時間待機（Ｓ４０５）させ、この所定時間の間にＡＤＦ開閉センサ６１の検知による取り忘れ原稿がなくなったとき（Ｓ４０２：Ｙｅｓ）は、警告手段（６４ａ，６７）からの警告を発信しない。これにより、ユーザが所定時間内に取り忘れ原稿を取り除いた際には、警告を発しないようにすることができるので、必要以上に警告を発信しないようにすることが可能になる。
【００７４】
またＣＰＵ１２はＣＣＤラインセンサ５８による原稿画像の読み取り終了後、ＡＤＦ開閉センサ６１が取り忘れ原稿を検知している際、節電モード実行手段（６５，２０１）から節電モードを実行する旨の信号が発信されない際、以下の制御を行う。即ちＣＰＵ１２は、所定時間待機させ、この所定時間の間にＡＤＦ開閉センサ６１の検知による取り忘れ原稿がなくならないとき（Ｓ４０５：Ｙｅｓ）は、警告手段（６４ａ，６７）からの警告を発信する。従って、ユーザが気付かず、所定時間内に取り忘れ原稿を取り除くことができなかった際には、確実に警告を発することが可能になる。
【００７５】
＜第２の実施形態＞
次に、本発明の第２の実施形態について、図９を参照して説明する。図９は、本実施形態における節電モード移行時のＣＰＵ１２により実行される画像読取部１００の固定読みジョブ後のスリープ処理（節電モード移行処理）を示すフローチャートである。なお、本実施形態では、第１の実施形態と同一の部材には同一符号を付すと共に、構成、機能が同じものについてはその説明を省略する。
【００７６】
前述した第１の実施形態では、節電モード要求が来た時点でのＡＤＦ開閉状態において取り忘れ検知を実施したが、ユーザが３秒経過する以前において節電モード切換えボタン６５を押す前、或いは押した後すぐに原稿を取り除くことも考えられる。この場合、取り忘れ警告が早すぎることでユーザが煩わしく感じる可能性がある。そこで本実施形態は、固定読みジョブ後の節電モードでは、取り忘れを検知する例えば３秒間を節電モードに入らずに待ち、通知後に節電モードに入ることにより、本当に置き忘れたと思われる時間経過後に「取り忘れ警告」を出すようにすることが可能である。
【００７７】
本実施形態では、第１の実施形態の構成に加え、ＲＡＭ９０上に制御情報として以下の変数（ｉ）を有する。
（ｉ）節電モードフラグ（スリープフラグ）ＦＬＧ：コントローラ部２００から節電モード要求を受けた場合に“１”にセットされる。スリープ復帰時、電源オン時に“０”にクリアされる。
【００７８】
即ち、固定読みジョブ後の節電モード移行処理のラベルで始まる処理に入ると、ステップＳ６０１で固定読みジョブを実行した後、コントローラ部２００から節電モードの要求（スリープ要求）が通知される（Ｓ６０２：Ｙｅｓ）。すると、画像読取部１００のＣＰＵ１２は、節電モード要求が来たことを記憶する節電モードフラグＦＬＧを“１”にセットし（Ｓ６０３）、以下の「節電モード前取り忘れ検知動作」に入る。一方、コントローラ部２００から節電モード要求を受信していなければ（Ｓ６０２：Ｎｏ）、画像読取部１００のＣＰＵ１２は、図３で説明した「通常時の取り忘れ検知制御」を実行する。
【００７９】
ここで、本第２の実施形態における「節電モード前取り忘れ検知動作」と、前述した第１の実施形態における「通常時の取り忘れ検知制御」との差は、以下のようになる。
【００８０】
即ち、「通常時の取り忘れ検知制御」では、ＣＰＵ１２は、一度取り忘れステータス（ＳＴ）を“１”に、つまり取り忘れ状態にセットする。その後、ＡＤＦ開または固定読みジョブ開始で取り忘れステータス（ＳＴ）が“０”にセットされるまで、取り忘れステータス（ＳＴ）を検知し続ける。
【００８１】
一方、本実施形態の「節電モード前取り忘れ検知動作」では、一度取り忘れステータス（ＳＴ）を“１”の取り忘れ状態にセットする。その後、コントローラ部２００が取り忘れ警告音を鳴動させるのに必要な時間（この例では最大２秒間）だけ取り忘れ検知を継続させる。そして、取り忘れステータス（ＳＴ）をバックアップした状態で、取り忘れ検知を終了する。
【００８２】
以下、「節電モード前取り忘れ検知動作」のフローについて説明する。即ち、ステップＳ６０３で節電モードフラグＦＬＧを“１”にセットした後、画像読取部１００のＣＰＵ１２は、第１の実施形態と同様、検知イネーブルが「有効」か否か（Ｓ６０４）、ＡＤＦ開されたか否か（Ｓ６０５）の監視を３秒間継続する（Ｓ６０６）。ＡＤＦ１０が開状態になると（Ｓ６０５：Ｙｅｓ）、ＣＰＵ１２は、取り忘れはなかったものとして取り忘れ検知イネーブル（ＥＮ）を「無効」にし、ループから抜ける（Ｓ６０７）。
【００８３】
開状態にならないまま３秒経過すると、ＣＰＵ１２は取り忘れステータス（ＳＴ）を“１”、つまり取り忘れ状態にセットする（Ｓ６０８）。以上のように、ＣＰＵ（制御手段）１２は、ＡＤＦ開閉センサ（取り忘れ原稿検知手段）６１が取り忘れ原稿を検知した場合に、所定時間待機（３秒経過）してから警告手段（６４ａ，６７）による警告出力を行うことが可能になる。このため、原稿を本当に取り忘れたと思われる時間を経過した後に「取り忘れ警告」を発することが可能になる。
【００８４】
画像読取部１００のＣＰＵ１２は、上記のように設定した「取り忘れステータス（ＳＴ）」をコントローラ部２００に送信する（Ｓ６０９）。その後、ＣＰＵ１２は、コントローラ部２００がユーザに対し画面或いは警告音で取り忘れを通知するのに要する時間（この例では２秒とする）待つ（Ｓ６１０）。所定時間の経過後、ＣＰＵ１２は、前述の節電モード移行処理を実行し（Ｓ６１１）、コントローラ部２００に節電モード移行通知を送信して（Ｓ６１２）、スリープ状態に入る。
【００８５】
この例で、ＣＰＵ１２は、一度取り忘れステータス（ＳＴ）に１をセットした後、節電モード前（スリープ前）には取り忘れステータスを解除していないが、動作はこれに限るものではない。コントローラ部２００にて警告音鳴動中、或いはメッセージ表示中の２秒の間に、ユーザにより画像読取部１００のＡＤＦ１０が開けられた時は、「取り忘れステータス（ＳＴ）」を“０”にセットする。そしてコントローラ部２００に再通知し、警告音及びメッセージをクリアすることも可能である。
【００８６】
コントローラ部２００側では、ステップＳ７０６〜Ｓ７１４までの「取り忘れ情報更新動作」は、ステップＳ７００（Ｙｅｓ）で画像読取部１００が節電モードであることを検知するか、ステップＳ７０１（Ｙｅｓ）で固定読みジョブが開始されるまで継続する。よって、図６におけるステップＳ９０１のように、コントローラ部２００のＣＰＵ２０１から画像読取部１００へ節電モード要求を送信した後も、コントローラ部２００は、画像読取部１００が節電モード通知を返すまでは節電モードに入らない。従って、画像読取部１００が本実施形態の制御を行うことにより、コントローラ部２００は、画像読取部１００が節電モード通知を返すまでの間、取り忘れ警告を表示、或いは警告音を鳴動させることができる。以上説明した本実施形態においても、固定読み後に直ちに節電モードに入る操作をされた場合であっても、原稿を取り忘れている旨を警告することが可能である。
【００８７】
なお、本実施形態では、電子写真方式の画像形成装置を用いて説明したが、これに代えて、例えば、ノズルからインク液を吐出させることでシートに画像を形成するインクジェット方式の画像形成装置に用いることも可能である。
【符号の説明】
【００８８】
１０…ＡＤＦ（開閉手段）／１２…ＣＰＵ（制御手段）／２０…画像形成装置／５２…プラテンガラス（原稿載置手段）／５８…ＣＣＤラインセンサ（画像読取手段）／６１…ＡＤＦ開閉センサ（取り忘れ原稿検知手段）／６４…表示部／６４ａ…メッセージ表示部（警告手段）／６５，２０１…節電モード切換えボタン，ＣＰＵ（節電モード実行手段）／６７…スピーカ（警告手段，警告音発生部）／９０…ＲＡＭ（記憶部）／１００…画像読取部（画像読取装置）／２１０…設定操作部／５００…プリンタ部（画像形成手段）／Ｄ…原稿
【図１】
2017118255.tif 000003
【図２】
2017118255.tif 000004
【図３】
2017118255.tif 000005
【図４】
2017118255.tif 000006
【図５】
2017118255.tif 000007
【図６】
2017118255.tif 000008
【図７】
2017118255.tif 000009
【図８】
2017118255.tif 000010
【図９】
2017118255.tif 000011